(57)【要約】【課題】  サムネイル画像を迅速に表示させる。【解決手段】  本願発明は、ディスクメディアのような記録媒体に画像データを記録してサムネイル画像を閲覧する装置において、再生時に最初に表示画面に一覧表示されるサムネイル画像を、記録時にサムネイル画像ファイルの所定位置に記憶させてティスクメディアに記録するようにしたことにより、より高速にサムネイル画像を閲覧できる。【選択図】        図６
2006114199.tif 000002
【特許請求の範囲】
【請求項１】
ディスクメディアにデータを記録し、データを再生する記録再生装置において、
上記ディスクメディアにデータを記録する記録手段と、
上記ディスクメディアからデータを再生する再生手段と、
入力された画像データのサムネイル画像を取得する取得手段と、
記憶手段と、
サムネイル画像を複数有するサムネイル画像ファイルを上記記憶手段に記憶させ、上記記憶手段に記憶された上記サムネイル画像ファイルの所定位置に上記取得されたサムネイル画像を記憶させ、上記記憶手段に記憶された上記サムネイル画像ファイルを上記ディスクメディアに記録する制御手段と
を具えることを特徴とする記録再生装置。
【請求項２】
上記サムネイル画像ファイルが上記ディスクメディアに未記録のとき、サムネイル画像が取得されたときに新たにサムネイル画像ファイルを生成して上記ディスクメディアに記録する
ことを特徴とする請求項１に記載の記録再生装置。
【請求項３】
さらに、上記入力された画像に基づいてサムネイル画像を生成するサムネイル画像生成手段
を具えることを特徴とする請求項１に記載の記録再生装置。
【請求項４】
新たに取得されたサムネイル画像を上記サムネイル画像ファイルの先頭位置に記録する
ことを特徴とする請求項１に記載の記録再生装置。
【請求項５】
上記サムネイル画像ファイルは、新たなサムネイル画像が取得されるごとに上記新たに取得されたサムネイル画像が追加して記録される領域と、上記新たに取得されたサムネイル画像によって上書きされる領域とを有する
ことを特徴とする請求項１に記載の記録再生装置。
【請求項６】
上記新たに取得されたサムネイル画像が上記上書きされる領域に記録される前に上記上書きされる領域と上記追加記録される領域と異なる領域に上記上書きされる領域に記録されているサムネイル画像をコピーする
ことを特徴とする請求項５に記載の記録再生装置。
【請求項７】
上記サムネイル画像ファイルは、新たなサムネイル画像が取得されるごとに上記新たに取得されたサムネイル画像が追加して記録される領域と、所定枚数のみ上記追加して記録される領域に記録されたサムネイル画像と同一のサムネイル画像が記録可能な領域とを有する
ことを特徴とする請求項１に記載の記録再生装置。
【請求項８】
サムネイル画像の表示の指示を受信したときには、上記所定枚数のみサムネイル画像が記録可能な領域内の第１の記録領域に記録された１以上のサムネイル画像を最初に表示し、上記第１の領域の表示中に次のサムネイル画像の表示の指示を受信したときには、上記所定枚数のみサムネイル画像が記録可能な領域内の第２の記録領域に記録された１以上のサムネイル画像を表示する
ことを特徴とする請求項７に記載の記録再生装置。
【請求項９】
ディスクメディアに所定のデータを記録および又は再生する記録再生方法において、
外部から供給される撮像画像の画像データに基づいてサムネイル画像の画像データを生成するステップと
上記サムネイル画像生成手段により生成された上記サムネイル画像の画像データを上記ディスクメディアに記録するとともに最初に一覧表示される所定の上記サムネイル画像の画像データを所定領域にまとめて記録するステップと
を具えることを特徴とする記録再生方法。
【請求項１０】
上記所定領域に、各上記サムネイル画像の画像データを上記ディスクメディア上に順次並べて記録するとともに、サムネイル画像の一覧表示の指示があったときに最初に一覧表示されるサムネイル画像の画像データを上記所定領域の先頭にまとめてさらに記録する
ことを特徴とする請求項９に記載の記録再生方法。
【請求項１１】
上記所定の領域の先頭部分にまとめて記録されたサムネイル画像の一覧表示の指示があったときに最初に一覧表示されるサムネイル画像をあらかじめ上記ディスクメディアから読み出してメモリに記憶させ、
サムネイル画像の一覧表示の指示があったときに上記メモリにあらかじめ記憶したサムネイル画像を一覧表示する
ことを特徴とする請求項１０に記載の記録再生方法。
【請求項１２】
上記所定の領域に記録されるサムネイル画像の一覧表示があったときに最初に表示されるサムネイル画像データが記録される領域よりも後ろの所定領域に、次のサムネイル画像の一覧表示が指示されたときに表示されるサムネイル画像をさらに記録する
ことを特徴とする請求項１０に記載の記録再生方法。
【請求項１３】
上記所定の領域に記録されるサムネイル画像の一覧表示があったときに最初に表示されるサムネイル画像データが記録される領域よりも後ろの所定領域に、上記最初に表示されるサムネイル画像の一覧用のデータの前のサムネイル画像の一覧表示が指示されたときに表示されるサムネイル画像をさらに記録する
ことを特徴とする請求項１０に記載の記録再生方法。
【発明の詳細な説明】
【技術分野】
【０００１】
本発明は、記録再生装置及び方法に関し、例えば記録媒体としてディスクメディアを使用した記録再生装置に適用して好適なものである。
【背景技術】
【０００２】
近年、ＣＤ（Compact Disc）、ＭＤ（Mini Disc）（登録商標）、ＤＶＤ（Digital Versatile Disc）及びブルーレイディスク（Blue-Ray Disc）（登録商標）などの種々のディスクメディアが開発され、オーディオデータや、ビデオデータ又はその他のコンピュータデータなどの記録媒体として広く普及している。
【０００３】
これらディスクメディアに対応する記録再生装置としては、例えばＣＣＤ（Charge Coupled Device）カメラによって撮像された静止画の画像に基づいて生成されるＥｘｉｆ（Exchangeable Image File Format）形式の画像ファイルを記録再生するディジタルカメラが知られている。
【０００４】
ところで、このようなディスクメディアに対応するディジタルカメラにおいては、上述のように記録された画像ファイルを再生する場合、通常、新たに撮像された画像ファイルから順に所定の画像数の画像ファイルを例えば高解像度のカラー液晶ディスプレイ等からなる表示部に表示させることによって、再生を行うようになされている。
【０００５】
すなわち、ディジタルカメラは、まず新たに撮像された画像ファイルから順にシーク動作を行ってディスクメディアから画像ファイルを順次読み出し、バッファに蓄積させる。そしてその後ディジタルカメラは、表示部に表示させる画像数の画像ファイルがバッファに蓄積されると、蓄積された画像ファイルのサムネイル画像データに基づくサムネイル画像を表示部に表示させる。
【０００６】
しかしながらこのような場合、画像ファイルはディスクメディア上の様々な位置に離散的に記録されることがあるため、各画像ファイルのシーク動作に時間がかかり、この結果サムネイル画像データに基づくサムネイル画像を表示部に表示させるのに時間がかかるという問題がある。
【特許文献１】特開２００４−５９３４公報
【発明の開示】
【発明が解決しようとする課題】
【０００７】
かかる問題を解決するための１つの方法として、各画像ファイルとは別に、各画像ファイルのサムネイル画像データを画像ファイルが生成された順に配列することによって、かかるサムネイル画像データからなるサムネイル画像ファイルを生成し、これをディスクメディアに記録する。そして、再生時には、このようなサムネイル画像ファイルをディスクメディアから読み出し、サムネイル画像ファイルに基づくサムネイル画像を新たに撮像された順に表示部に表示させることによって、サムネイル画像のインデックス表示速度を迅速化した記録再生装置が提案されている（例えば特許文献１参照）。
【０００８】
しかしながら、近年のＤＶＤ等のディスクメディアにおいては、大量のデータを記録することができるため、大量の画像ファイルをディスクメディアに記録している場合には、サムネイル画像ファイルの読み出しを開始してから、新たに撮像されたサムネイル画像データをバッファに蓄積させるまでに時間がかかる。
【０００９】
この結果、新たに撮像されたサムネイル画像データに基づくサムネイル画像を表示部に表示させるのに時間がかかるため、ユーザにとって使い勝手が悪いという問題がある。
【００１０】
本発明は以上の点を考慮してなされたもので、使い勝手を格段的に向上させ得る記録再生装置及び方法を提案するものである。
【課題を解決するための手段】
【００１１】
そこで本発明では、ディスクメディアにデータを記録し、データを再生する記録再生装置において、ディスクメディアにデータを記録する記録手段と、ディスクメディアからデータを再生する再生手段と、入力された画像データのサムネイル画像を取得する取得手段と、記憶手段と、サムネイル画像を複数備えるサムネイル画像ファイルを記憶手段に記憶させ、記憶手段に記憶されたサムネイル画像ファイルの所定位置に取得されたサムネイル画像を記憶させ、記憶手段に記憶されたサムネイル画像ファイルをディスクメディアに記録する制御手段とを具える記録再生装置を提供する。
【００１２】
また本発明では、ディスクメディアに所定のデータを記録および又は再生する記録再生方法において、外部から供給される撮像画像の画像データに基づいてサムネイル画像の画像データを生成するステップと、サムネイル画像生成手段により生成されたサムネイル画像の画像データをディスクメディアに記録するとともに最初に一覧表示される所定のサムネイル画像の画像データを所定領域にまとめて記録するステップとを具える記録再生方法を提供する。
【発明の効果】
【００１３】
本発明によれば、再生時に最初に表示画面に一覧表示されるサムネイル画像を、記録時にサムネイル画像ファイルの所定位置に記憶させてディスクメディアに記録するようにしたことにより、再生時に、サムネイル画像を迅速に表示部に表示することができ、これにより使い勝手を格段的に向上させ得る記録再生装置を実現することができる。
【発明を実施するための最良の形態】
【００１４】
以下図面について、本発明の一実施の形態を詳述する。
【００１５】
（１）本実施の形態による光磁気記録による次世代ディスクの概要
図１において、１は全体として本実施の形態による記録再生装置を示し、ミニディスク（ＭＤ）方式のディスクを記録媒体として、例えばオーディオデータの記録再生を行い得るようになされている。ただし、この記録再生装置１は、既に普及している音楽用途のミニディスクのみではなく、より高密度記録を可能とし、オーディオデータ以外の画像データやコンピュータユースの各種データのストレージに利用できる高密度ディスク（次世代ディスクとも言う）についても対応し得るようになされている。
【００１６】
ここで、本実施の形態による記録再生装置１の全体構成の説明に先立って、この記録再生装置１が対応する、光磁気記録による次世代ディスクの概要について説明しておく。
【００１７】
まず、このような次世代ディスクは、現行のパーソナルコンピュータとの親和性が図れるように、ファイル管理システムとしてＦＡＴ（File Allocation Table）システムを使って、オーディオデータのようなコンテンツデータを記録再生するものである。また、現行のＭＤシステムに対して、エラー訂正方式や変調方式等を変更することで、データの記録容量の増大を図るとともにデータの信頼性を高めている。
【００１８】
次世代ディスクの記録再生のフォーマットとしては、現在２種類の仕様が開発されている。説明上、これらを第１の次世代ＭＤ、第２の次世代ＭＤと呼ぶこととする。
【００１９】
第１の次世代ＭＤは、現行のＭＤシステムで用いられているディスクと全く同様のディスクを用いるようにした仕様であり、第２の次世代ＭＤは、現行のＭＤシステムで用いられているディスクと外形は同様であるが、磁気超解像（ＭＳＲ）技術等を使うことにより、線記録方向の記録密度を上げて、記録容量をより増大した仕様である。
【００２０】
現行のＭＤシステム（オーディオ用ＭＤやＭＤ−ＤＡＴＡ（商標））では、カートリッジに収納された直径６４ｍｍの光磁気ディスクが記録媒体として用いられている。ディスクの厚みは１.２ｍｍであり、その中央に１１ｍｍの径のセンターホールが設けられている。カートリッジの形状は、長さ６８ｍｍ、幅７２ｍｍ、厚さ５ｍｍである。
【００２１】
第１及び第２の次世代ＭＤの仕様でも、これらディスクの形状やカートリッジの形状は、すべて同じである。リードイン領域の開始位置についても、第１及び第２の次世代ＭＤのディスクも、半径位置２９ｍｍから始まり、現行のＭＤシステムで使用されているディスクと同様である。つまり、従来のＭＤシステムとの外形上での互換性が確保されているものである。
【００２２】
トラックピッチについては、第２の次世代ＭＤでは、１.２５μｍとされ、現行のＭＤシステムのディスクを流用する第１の次世代ＭＤでは、トラックピッチは１.６μｍとされている。ビット長は、第１の次世代ＭＤが０.４４μｍ/ビットとされ、第２の次世代ＭＤが０.１６μｍ／ビットとされる。冗長度は、第１及び第２の次世代ＭＤともに、２０.５０％である。
【００２３】
第２の次世代ＭＤ仕様のディスクでは、磁気超解像技術を使うことにより、線密度方向の記録容量を向上するようにしている。磁気超解像技術は、所定の温度になると、切断層が磁気的にニュートラルな状態になり、記録層に転写されていた磁壁が転写されることで、微少なマークがビームスポットの中に見えるようになることを利用したものである。
【００２４】
具体的に、第２の次世代ＭＤ仕様のディスクでは、透明基板上に、少なくとも情報を記録する記録層となる磁性層と、切断層と、情報再生用の磁性層とが積層される。切断層は、交換結合力調整用層となる。所定の温度になると、切断層が磁気的にニュートラルな状態になり、記録層に転写されていた磁壁が再生用の磁性層に転写される。これにより、微少なマークがビームスポットの中に見えるようになる。なお、記録時には、レーザパルス磁界変調技術を使うことで、微少なマークを生成することができる。
【００２５】
また、第２の次世代ＭＤ仕様のディスクでは、デトラックマージン、ランドからのクロストーク、ウォブル信号のクロストーク、フォーカスの漏れを改善するために、グルーブを深くし、グルーブの傾斜を鋭くしている。即ち第２の次世代ＭＤ仕様のディスクでは、グルーブの深さは例えば１６０ｎｍから１８０ｎｍであり、グルーブの傾斜は例えば６０度から７０度であり、グルーブの幅は例えば６００ｎｍから７００ｎｍである。
【００２６】
光学的仕様については、第１の次世代ＭＤの仕様では、レーザ波長λが７８０ｎｍとされ、光学ヘッドの対物レンズの開口率ＮＡが０.４５とされている。第２の次世代ＭＤの仕様も同様に、レーザ波長λが７８０ｎｍとされ、光学ヘッドの開口率ＮＡが０.４５とされている。
【００２７】
また記録方式としては、第１の次世代ＭＤでは、グルーブ（ディスクの盤面上の溝）をトラックとして記録再生に用いるグルーブ記録方式が採用され、第２の次世代ＭＤではグルーブ記録方式及び磁壁移動検出（ＤＷＤＤ）方式が採用されている。
【００２８】
さらに、エラー訂正符号化方式としては、現行のＭＤシステムでは、ＡＣＩＲＣ（Advanced Cross Interleave Reed-Solomon Code）による畳み込み符号が用いられていたが、第１及び第２の次世代ＭＤの仕様では、ＲＳ−ＬＤＣ（Reed Solomon−Long Distance Code）とＢＩＳ（Bust Indicator Subcode）とを組み合わせたブロック完結型の符号が用いられている。このブロック完結型のエラー訂正符号を採用することにより、リンキングセクタが不要になる。ＬＤＣとＢＩＳとを組み合わせたエラー訂正方式では、バーストエラーが発生したときに、ＢＩＳによりエラーロケーションが検出できる。このエラーロケーションを使って、ＬＤＣコードにより、イレージャ訂正を行うことができる。
【００２９】
アドレス方式としては、シングルスパイラルによるグルーブを形成したうえで、このグルーブの両側に対してアドレス情報としてのウォブルを形成したウォブルドグルーブ方式が採用されている。このようなアドレス方式は、ＡＤＩＰ（Address in Pegoove）と呼ばれている。
【００３０】
ＡＤＩＰの仕様については、現行のＭＤシステムと同様であるが、現行のＭＤシステムでは、２３５２バイトからなるセクタを記録再生のアクセス単位としているのに対して、第１及び第２の次世代ＭＤの仕様では、６４Ｋバイトを記録再生のアクセス単位（レコーディングブロック）としている。
【００３１】
また、現行のＭＤシステムでは、エラー訂正符号としてＡＣＩＲＣと呼ばれる畳み込み符号が用いられているのに対して、第１及び第２の次世代ＭＤの仕様では、ＬＤＣとＢＩＳとを組み合わせたブロック完結型の符号が用いられている。
【００３２】
そこで、現行のＭＤシステムのディスクを流用する第１の次世代ＭＤの仕様では、ＡＤＩＰ信号の扱いを、現行のＭＤシステムのときとは異なるようにしている。また、第２の次世代ＭＤでは、第２の次世代ＭＤの仕様により合致するように、ＡＤＩＰ信号の仕様に変更を加えている。
【００３３】
変調方式については、現行のＭＤシステムでは、ＥＦＭ（8 to 14 Modulation）が用いられているのに対して、第１及び第２の次世代ＭＤの仕様では、ＲＬＬ（１，７）ＰＰ（ＲＬＬ;Run Length Limited ,ＰＰ;Paity Peseve/Pohibit mt（epeated minimum tanstion unlength））（以下、１−７ｐｐ変調と称する）が採用されている。また、データの検出方式は、第１の次世代ＭＤではパーシャルレスポンスＰＲ（１，２，１）ＭＬを用い、第２の次世代ＭＤではパーシャルレスポンスＰＲ（１，−１）ＭＬを用いたビタビ復号方式とされている。
【００３４】
また、ディスク駆動方式はＣＬＶ（Constant Linea Velocity）で、その線速度は、第１の次世代ＭＤの仕様では、２．７ｍ／秒とされ、第２の次世代ＭＤの仕様では、１．９８ｍ／秒とされる。なお、現行のＭＤシステムの仕様では、６０分ディスクで１．２ｍ／秒、７４分ディスクで１．４ｍ／秒とされている。
【００３５】
現行のＭＤシステムで用いられるディスクをそのまま流用する第１の次世代ＭＤの仕様では、ディスク１枚当たりのデータ総記録容量は約３００Ｍバイト（８０分ディスクを用いた場合）になる。変調方式がＥＦＭ変調から１−７ｐｐ変調とされることで、ウィンドウマージンが０．５から０．６６６となり、この点で、１．３３倍の高密度化が実現できる。
【００３６】
また、エラー訂正方式として、ＡＣＩＲＣ方式からＢＩＳとＬＤＣを組み合わせたものとしたことで、データ効率が上がり、この点で、１．４８倍の高密度化が実現できる。総合的には、全く同様のディスクを使って、現行のＭＤシステムに比べて、約２倍のデータ容量が実現されたことになる。
【００３７】
これに対し磁気超解像を利用した第２の次世代ＭＤの仕様のディスクでは、更に線密度方向の高密度化が図られ、データ総記録容量は、約１Ｇバイトになる。なお、データレートは第１の次世代ＭＤでは４．４Ｍビット／秒であり、第２の次世代ＭＤでは、９．８Ｍビット／秒である。
【００３８】
図２（Ａ）は、第１の次世代ＭＤのディスクの構成を示すものである。第１の次世代ＭＤのディスクは、現行のＭＤシステムのディスクをそのまま流用したものである。すなわち、透明のポリカーボネート基板上に、誘電体膜と、磁性膜と、誘電体膜と、反射膜とを積層して構成される。さらに、その上に保護膜が積層される。
【００３９】
第１の次世代ＭＤのディスクでは、この図２（Ａ）に示すようにディスクの内周のリードイン領域に、Ｐ−ＴＯＣ（プリマスタードＴＯＣ（Table Of Contents））領域が設けられる。ここは、物理的な構造としてはプリマスタード領域となり、エンボスピットによりコントロール情報等がＰ−ＴＯＣ情報として記録されていることになる。
【００４０】
そして、このようにＰ−ＴＯＣ領域が設けられるリードイン領域の外周は、レコーダブル領域（光磁気記録可能な領域）とされ、記録トラックの案内溝としてグルーブが形成された記録再生可能領域となっている。このレコーダブル領域の内周には、Ｕ−ＴＯＣ（ユーザＴＯＣ）が設けられる。
【００４１】
この場合のＵ−ＴＯＣは、現行のＭＤシステムでディスクの管理情報を記録するために用いられているＵ−ＴＯＣと同様の構成のものである。確認のために述べておくと、Ｕ−ＴＯＣは、現行のＭＤシステムにおいては、トラック（オーディオトラック／データトラック）の曲順、記録、消去などに応じて書き換えられる管理情報であり、各トラック（トラックを構成するパーツ）について、開始位置、終了位置や、モードを管理するものである。
【００４２】
また、Ｕ−ＴＯＣの外周には、アラートトラックが設けられる。アラートトラックは、このディスクが第１の次世代ＭＤ方式で使用され、現行のＭＤシステムのプレーヤでは再生できないことを示す警告音が記録された警告トラックである。
【００４３】
図２（Ｂ）は、第１の次世代ＭＤの仕様のディスクのレコーダブル領域の構成を示すものである。この図２（Ｂ）からも明らかなように、レコーダブル領域の先頭（内周側）には、Ｕ−ＴＯＣおよびアラートトラックが設けられる。Ｕ−ＴＯＣおよびアラートトラックが含まれる領域は、現行のＭＤシステムのプレーヤでも再生できるように、ＥＦＭでデータが変調されて記録される。
【００４４】
そして、このＥＦＭ変調でデータが変調されて記録される領域の外周には、次世代ＭＤ１方式の１−７ｐｐ変調によりデータが変調されて記録される領域が設けられる。ＥＦＭ変調によりデータが変調されて記録される領域と、１−７ｐｐ変調によりデータが変調されて記録される領域との間は所定の距離の間だけ離間されており、ガードバンドが設けられている。このようなガードバンドが設けられるため、現行のＭＤプレーヤに第１の次世代ＭＤの仕様のディスクが装着されて、不具合が発生されることが防止される。
【００４５】
１−７ｐｐ変調によりデータが変調されて記録される領域の先頭（内周側）には、ＤＤＴ（Disc Description Table）領域と、セキュアトラックが設けられる。ＤＤＴ領域には、物理的に欠陥のあるセクタ（レコーディングブロック）に対する交替セクタ処理をするために設けられる。ＤＤＴ領域には、さらに、ディスクＩＤが記録される。ディスクＩＤは、記録媒体毎に固有の識別コードであって、例えば所定に発生された乱数に基づく。
【００４６】
また、スクラッチパッドとしての領域や、ＳＲＢ（Serial Recoding Bitmap）と呼ばれる、記録したクラスタに対応したビットを「１」とするビットマップが記録される。セキュアトラックは、コンテンツの保護を図るための情報が格納される。
【００４７】
さらに、１−７ｐｐ変調でデータが変調されて記録される領域には、ＦＡＴ（File Allocation Table）領域が設けられる。このＦＡＴ領域は、ＦＡＴシステムでデータを管理するための領域である。
【００４８】
ＦＡＴシステムは、汎用のパーソナルコンピュータで使用されているＦＡＴシステムに準拠したデータ管理を行うものである。ＦＡＴシステムは、ルートにあるファイルやディレクトリのエントリポイントを示すディレクトリと、ＦＡＴクラスタの連結情報が記述されたＦＡＴテーブルとを用いて、ＦＡＴチェーンによりファイル管理を行うものである。
【００４９】
このような第１の次世代ＭＤの仕様のディスクにおいて、上述のＵ−ＴＯＣ領域には、アラートトラックの開始位置の情報と、１−７ｐｐ変調でデータが変調されて記録される領域の開始位置の情報が記録されるものとなる。
【００５０】
ここで、現行のＭＤシステムのプレーヤに、上述の構成による第１の次世代ＭＤのディスクが装着されると、Ｕ−ＴＯＣ領域が読み取られ、Ｕ−ＴＯＣの情報から、アラートトラックの位置が分かり、アラートトラックがアクセスされ、アラートトラックの再生が開始される。
【００５１】
アラートトラックには、このディスクが第１の次世代ＭＤ方式で使用され、現行のＭＤシステムのプレーヤでは再生できないことを示す警告音が記録されている。この警告音から、このディスクが現行のＭＤシステムのプレーヤでは使用できないことが通知される。なお、この場合の警告音としては、「このプレーヤでは使用できません」というような言語による警告とすることができる。勿論、ブザー音とするようにしても良い。
【００５２】
一方、第１の次世代ＭＤに準拠したプレーヤに対し、第１の次世代ＭＤのディスクが装着された場合、Ｕ−ＴＯＣ領域が読み取られ、Ｕ−ＴＯＣの情報から１−７ｐｐ変調でデータが記録された領域の開始位置が分かり、上述したＤＤＴ、セキュアトラック、ＦＡＴ領域が読み取られる。上述のように１−７ｐｐ変調のデータの領域では、Ｕ−ＴＯＣではなくＦＡＴシステムによるデータ管理が行われる。
【００５３】
図３（Ａ）は、第２の次世代ＭＤのディスクの構成を示すものである。この場合もディスクは、透明のポリカーボネート基板上に誘電体膜、磁性膜、誘電体膜、反射膜、さらにその上層に保護膜を積層してなる。
【００５４】
そして、第２の次世代ＭＤのディスクの場合では、図示するようにディスクの内周のリードイン領域には、ＡＤＩＰ信号により、コントロール情報が記録されるものとなる。
【００５５】
第２の次世代ＭＤのディスクには、リードイン領域にはエンボスピットによるＰ−ＴＯＣは設けられておらず、その代わりに、ＡＤＩＰ信号によるコントロール情報が用いられる。リードイン領域の外周からレコーダブル領域が開始され、記録トラックの案内溝としてグルーブが形成された記録再生可能領域となっている。このレコーダブル領域には、１−７ｐｐ変調方式によりデータが変調されて記録される。
【００５６】
あるディスクが第１の次世代ＭＤであるか第２の次世代ＭＤであるかは、リードインの情報から判断できる。すなわち、リードインにエンボスピットによるＰ−ＴＯＣが検出されれば、現行のＭＤまたは第１の次世代ＭＤのディスクであると判断できる。リードインにＡＤＩＰ信号によるコントロール情報が検出され、エンボスピットによるＰ−ＴＯＣが検出されなければ、第２の次世代ＭＤであると判断できる。
【００５７】
なお第１及び第２の次世代ＭＤの判別は、このような方法に限定されるものではない。オントラックのときとオフトラックのときとのトラッキングエラー信号の位相から判別することも可能である。勿論、カートリッジ等にディスク識別用の検出孔等を設けるようにしても良い。
【００５８】
第２の次世代ＭＤの仕様のディスクのレコーダブル領域の構成としては、図３（Ｂ）に示すように、全て１−７ｐｐ変調方式によりデータが変調されて記録される領域が形成される。そして、この１−７ｐｐ変調方式によりデータが変調されて記録される領域の先頭（内周側）には、ＤＤＴ領域及びセキュアトラックが設けられる。
【００５９】
この場合も上述のＤＤＴ領域は、物理的に欠陥のあるセクタ（レコーディングブロック）に対する交替セクタ処理を行うための領域とされる。またＤＤＴ領域には、上述したディスクＩＤが記録される。また上述したスクラッチパッド領域やＳＲＢが設けられる。さらにセキュアトラックには、この場合もコンテンツの保護を図るための情報が格納される。
【００６０】
また、１−７ｐｐ変調でデータが変調されて記録される領域には、ＦＡＴ領域も設けられる。ＦＡＴ領域は、ＦＡＴシステムでデータを管理するための領域である。ＦＡＴシステムは、汎用のパーソナルコンピュータで使用されているＦＡＴシステムに準拠したデータ管理を行うものである。
【００６１】
そして、このような第２の次世代ＭＤのディスクにおいては、この図３（Ｂ）からも明らかなように、Ｕ−ＴＯＣ領域は設けられていない。つまり第２の次世代ＭＤのディスクについては、次世代ＭＤに準拠したプレーヤのみでの使用が想定されているものである。
【００６２】
次世代ＭＤに準拠したプレーヤでは、第２の次世代ＭＤのディスクが装着されると、所定の位置にあるＤＤＴ領域、セキュアトラック及びＦＡＴ領域が読み取られ、ＦＡＴシステムを使ってデータの管理が行われることになる。
【００６３】
このように、ＦＡＴシステムで管理され、図２（Ｂ）及び図３（Ｂ）のデータ領域に記録されるデータとしては、データファイル、トラックインフォメーションファイル（ＴＩＦ）、鍵情報ファイル、ＭＡＣリストファイルなどがある。
【００６４】
データファイルは、例えばオーディオデータやコンピュータユースのデータなどのデータファイルである。
【００６５】
またトラックインフォメーションファイル（ＴＩＦ）は、オーディオデータファイルに納められた音楽データを管理するための各種の情報が記述されたファイルである。トラックインフォメーションファイルには、楽曲の再生順を示すプレイオーダテーブル、ユーザーが指定した再生順を管理するプログラムドプレイオーダテーブル、楽曲のアルバム単位等のグループかを管理するグループインフォメーションテーブル、各トラック（楽曲）に関する情報が記述されるトラックインフォメーションテーブル、各トラックのパーツを管理するパーツインフォメーションテーブル、各トラックに付加される文字情報を管理するネームテーブルを有する。
【００６６】
さらに鍵情報ファイルは、暗号化方式における鍵のバージョン情報を示すデータが記述される。さらにＭＡＣリストファイルは、改竄チェックのためのＭＡＣ値が記述される。
【００６７】
（２）記録再生装置の内部構成
本実施の形態による記録再生装置１の内部構成説明を図１に戻し、本実施の形態による記録再生装置１の内部構成について説明する。
【００６８】
本実施の形態による記録再生装置１は、外部機器（以下、パーソナルコンピュータとする）２と接続することで、当該パーソナルコンピュータ２に対する外部ストレージ機器として機能し得るようになされている。また、パーソナルコンピュータ２を介し、或いは直接ネットワークと接続できる機能を搭載するなどしてネットワーク接続することで、オーディオデータや各種データをダウンロードし、これをディスク３に記録することができるようになされている。
【００６９】
またこの記録再生装置１は、パーソナルコンピュータ２等に接続しなくとも、例えばオーディオ機器として機能する。この場合、ユーザが操作部４を操作することにより例えばオーディオ機器５やマイクロホン６等から入力された音楽等に基づくオーディオデータをディスク３に記録し、ディスク３から読み出されたオーディオデータに基づく音楽をヘッドホン７やオーディオ機器５において再生することができるようになされている。
【００７０】
さらにこの記録再生装置１には、例えばレンズ系及びＣＣＤカメラ等からなる撮像部、撮像された画像を所定のフォーマットの画像データに変換する信号変換部及び撮像された画像や例えば動作状態、モード状態、楽曲等の名称などの文字データ、トラックナンバー、時間情報、その他の情報表示を行う表示部８Ａ（図５）から構成されたカメラ／表示ブロック８が設けられている。そして、当該カメラ／表示ブロック８の撮像部で撮像された画像に基づく画像ファイルをディスク３に記録し、またディスク３に記録された画像データに基づく画像をカメラ／表示ブロック８の表示部８Ａにおいて再生することができるようになされている。
【００７１】
すなわち、本実施の形態による記録再生装置１は、パーソナルコンピュータ２等に接続することで汎用的なデータストレージ機器として利用でき、かつ単体でオーディオ記録再生機器やカメラ機器としても利用できる装置である。
【００７２】
なお、以下においては、パーソナルコンピュータ２の被接続機器とされてデータ記録再生がおこなわれる動作状態を「ストレージモード」、パーソナルコンピュータ２と接続されずに単体でオーディオ記録再生を行う動作状態を「オーディオモード」、カメラによる撮像及び撮像された画像の再生を行う動作状態を「カメラモード」と呼ぶこととする。
【００７３】
図１において、記録再生装置１内の本体部９は、システム全体を制御するＣＰＵ（Central Processing Unit）１０、ＲＯＭ（Read Only Memory）１１、ＲＡＭ（Random Access Memory）１２、電池が内蔵されたＮＶＲＡＭ（Non-Volatile Random Access Memory）１３、第１の暗号化／復号化部１４、メディアドライブ部１５、ＵＳＢインターフェース１６及び内部インターフェース１７がバス１８を介して相互に接続されて構成されている。
【００７４】
また内部インターフェース１７は、Ｉ／Ｏ（Input/Output）インターフェース１９、ＳＤＲＡＭ（Synchonous Dynamic Random Access Memory）インターフェース２０、コマンドインターフェース２１及びシリアルインターフェース２２から構成されている。
【００７５】
ＣＰＵ１０は、ＵＳＢインターフェース１６を介してパーソナルコンピュータ２から送信される書込み要求や読出し要求などの各種コマンド及びメニューキーや再生キー等の各種操作キーやジョグダイヤルなどの各種操作子が設けられた操作部４が操作されることにより供給される操作信号Ｓ１に基づいて各種制御処理を実行する。またＣＰＵ１０は、コマンドインターフェース２１を介してＡＴＲＡＣ（Adaptive Transform Acoustic Coding）圧縮／伸張部２３の制御処理を実行する。
【００７６】
さらにＲＯＭ１１には、ＣＰＵ１０の動作プログラムや固定パラメータ等が記憶されている。さらにＲＡＭ１２は、ＣＰＵ１０によるワーク領域として用いられ、動作プログラム等を展開し、また必要な各種情報の格納領域とされる。さらにＮＶＲＡＭ１３は、電池が内蔵されているため電源を切っても記憶された情報が保持されたまま消えない不揮発性のＲＡＭであり、各種設定情報などの格納領域とされる。
【００７７】
実際上ＣＰＵ１０は、外部のホスト機器であるパーソナルコンピュータ２と接続されたストレージモード時には、ストレージ機器としてデータ伝送のための処理を行う。
【００７８】
すなわちＣＰＵ１０は、パーソナルコンピュータ２から送信されるオーディオデータや各種データの書込み要求をＵＳＢインターフェース１６を介して受信すると、これに応動してパーソナルコンピュータ２に書込み許可を発行する。この結果、パーソナルコンピュータ２からオーディオデータや各種データが送受信データＤ１として送信され、これがＵＳＢインターフェース１６を介して第１の暗号化／復号化部１４に与えられる。
【００７９】
第１の暗号化／復号化部１４は、ＣＰＵ１０の制御のもとに、供給されるオーディオデータや各種データの送受信データＤ１に対して、暗号化が施されている場合には暗号解読のための復号化処理を施し、得られたオーディオデータや各種データの記録再生データＤ２をＳＤＲＡＭインターフェース２０を介してＳＤＲＡＭ２４に送出して、ＳＤＲＡＭ２４においてこれをバッファリングし、その後所定のタイミングで当該記録再生データＤ２を読み出してメディアドライブ部１５に送出する。
【００８０】
メディアドライブ部１５は、現行ＭＤと、上述した第１及び第２の次世代ＭＤとに対応しており、ＣＰＵ１０の制御のもとに、供給される記録再生データＤ２に対してＥＦＭ変調方式又は１−７ｐｐ変調方式で変調処理を施し、得られたオーディオデータや各種データの変調データＤ３をディスク３に送出する。これにより変調データＤ３がディスク３上のＣＰＵ１０に指定されたアドレス位置に記録される。
【００８１】
またＣＰＵ１０は、パーソナルコンピュータ２から送信されるオーディオデータや各種データの読出し要求をＵＳＢインターフェース１６を介して受信すると、これに応動してパーソナルコンピュータ２に読出し許可を発行する。この結果、メディアドライブ部１５は、ＣＰＵ１０の制御のもとに、ディスク３から読み出した対応する変調データＤ３をＥＦＭ復調方式又は１−７ｐｐ復調方式で復調処理を施し、得られた記録再生データＤ２をＳＤＲＡＭ２４、ＳＤＲＡＭインターフェース２０及びＵＳＢインターフェース１６を順次介して送受信データＤ１としてパーソナルコンピュータ２に送信する。
【００８２】
一方、ＣＰＵ１０は、記録再生装置１が単体でオーディオ機器として機能するオーディオモード時には、オーディオデータの記録再生処理を行う。
【００８３】
すなわちＣＰＵ１０は、操作部４が操作されて録音命令等の操作信号Ｓ１が入力されると、これに応動してＡＴＲＡＣ圧縮／伸張部２３を制御することにより、このときマイクロホン６において例えば音楽や音声等を集音し、得られたオーディオ信号Ｓ２をアナログ／ディジタルコンバータ２５において、例えばアナログ／ディジタル変換処理等の所定の信号処理を施し、得られたディジタルオーディオデータＤ４をＡＴＲＡＣ圧縮／伸張部２３に送出する。
【００８４】
またＣＰＵ１０は、操作部４が操作されて録音命令等の操作信号Ｓ１が入力されると、これに応動してＡＴＲＡＣ圧縮／伸張部２３を制御することにより、このときオーディオ機器５においてオプティカルケーブル等を介して転送された例えば音楽等のディジタルオーディオデータＤ４をＡＴＲＡＣ圧縮／伸張部２３に送出する。
【００８５】
ＡＴＲＡＣ圧縮／伸張部２３には、図示しないＡＴＲＡＣ圧縮エンコーダ／デコーダが設けられており、ＣＰＵ１０の制御のもとに、供給されるディジタルオーディオデータＤ４に対して、必要に応じてＡＴＲＡＣ圧縮エンコード処理や第２の暗号化／復号化部２６において所定のアルゴリズムによる暗号化処理を施し、得られたオーディオデータ等を記録再生データＤ２としてＳＤＲＡＭインターフェース２０及びＳＤＲＡＭ２４を順次介してメディアドライブ部１５に送出する。そしてメディアドライブ部１５は、ＣＰＵ１０の制御のもとに、供給される記録再生データＤ２に対して上述と同様の処理を施し、得られたオーディオデータ等の変調データＤ３をディスク３に送出する。これにより変調データＤ３がディスク３上のＣＰＵ１０に指定されたアドレス位置に記録される。
【００８６】
さらにＣＰＵ１０は、操作部４が操作されて音声再生命令等の操作信号Ｓ１が入力されると、これに応動してメディアドライブ部１５を制御することにより、ディスク３から読み出した対応する変調データＤ３を上述と同様の処理を施し、得られた記録再生データＤ２をＳＤＲＡＭ２４及びＳＤＲＡＭインターフェース２０を順次介してＡＴＲＡＣ圧縮／伸張部２３に送出させる。
【００８７】
ＡＴＲＡＣ圧縮／伸張部２３は、ＣＰＵ１０の制御のもとに、供給される記録再生データＤ２に対して必要に応じてＡＴＲＡＣ伸張デコード処理や第２の暗号化／復号化部２６において暗号解読のための復号化処理を施し、得られたディジタルオーディオデータＤ５をディジタル／アナログコンバータ２７に送出する。また、ＡＴＲＡＣ圧縮／伸張部２３は、ＣＰＵ１０の制御のもとに、上述と同様の処理を施し、得られたディジタルオーディオデータＤ５をオーディオ機器５に送出する。これによりこのディジタルオーディオデータＤ５に基づく音楽がオーディオ機器５のスピーカから出力される。
【００８８】
ディジタル／アナログコンバータ２７は、供給されるディジタルオーディオデータＤ５に対してディジタル／アナログ変換処理等の所定の信号処理を施し、得られたオーディオ信号Ｓ３をヘッドホンアンプ２８を介してヘッドホン７に送出する。これによりこのオーディオ信号Ｓ３に基づく音楽がヘッドホン７から出力される。
【００８９】
他方、ＣＰＵ１０は、記録再生装置１が単体でカメラ機器として機能するカメラモード時には、画像データの記録再生処理を行う。
【００９０】
すなわちＣＰＵ１０は、操作部４が操作されて画像記録命令等の操作信号Ｓ１が入力され、撮像命令等の操作信号Ｓ１が入力されると、これに応動してカメラ／表示ブロック８を制御することにより、撮像部において対象となる人物や風景等を撮像し、また信号処理部において例えばアナログ／ディジタル変換処理やＪＰＥＧ(Joint Photographic Experts Group)等の所定の画像圧縮方式に準拠した画像圧縮処理等を施す。これによりＣＰＵ１０は、カメラ／表示ブロック８において撮像画像データ（以下、これを主画像データと呼ぶ）ＰＤを生成させ、かくして得られた主画像データＰＤをシリアルインターフェース２２を介してＲＡＭ１２に取り込んで展開する。
【００９１】
このときＣＰＵ１０は、主画像データＰＤを生成したときの日時、生成した装置の機種名及び生成時の絞り値やシャッタスピードの設定等の情報や主画像データＰＤのデータを正しく読み取るための圧縮モード、色空間及び画素数等の情報からなる付属情報ＢＤをＲＡＭ１２に送出する。また、ＣＰＵ１０は、ＲＡＭ１２上において供給される主画像データＰＤに基づいてサムネイル画像データＳＮＰを生成する。これによりＣＰＵ１０は、これら付属情報ＢＤ、サムネイル画像データＳＮＰ及び主画像データＰＤに基づいて例えばＥｘｉｆ形式の画像ファイルＰＦを生成する。なお、ここではサムネイル画像データＳＮＰをＣＰＵ１０にて生成しているとしたが、たとえばカメラ／表示ブロック８内でサムネイル画像データＳＮＰを生成するようにし、シリアルインターフェースを介して送られてＣＰＵ１０が取得するようにしても良い。
【００９２】
この画像ファイルＰＦは、図４に示すように、例えばヘッダＨＤの後に付属情報ＢＤが記述され、その後にサムネイル画像データＳＮＰが記述され、さらにその後に主画像データＰＤが記述されたファイル構造を有している。
【００９３】
そしてＣＰＵ１０は、ＲＡＭ１２において生成した画像ファイルＰＦをＳＤＲＡＭインターフェース２０及びＳＤＲＡＭ２４を順次介してメディアドライブ部１５に送出する。そしてメディアドライブ部１５は、ＣＰＵ１０の制御のもとに、供給される画像ファイルＰＦに対して上述と同様の処理を施し、得られた画像ファイルＰＦの変調データＤ３をディスク３に送出する。これにより変調データＤ３がディスク３上のＣＰＵ１０に指定されたアドレス位置に記録される。
【００９４】
またＣＰＵ１０は、上述のように画像ファイルＰＦを生成すると共に、後述する図６に示すようなサムネイル画像ファイルＳＮＦを生成し、ＲＡＭ１２に供給される主画像データＰＤに基づいて生成されたサムネイル画像データＳＮＰをサムネイル画像ファイルＳＮＦに格納する。また、ＣＰＵ１０は格納されたことを示すサムネイル画像の登録情報を生成する。ここで、サムネイル画像とは、主画像データの画素数を減縮したり、画像圧縮の圧縮率を高くすることで主画像データよりもデータ容量が小さい画像を総称している。
【００９５】
そしてＣＰＵ１０は、操作部４が操作されて画像記録命令を停止する停止命令等の操作信号Ｓ１が入力されると、ＲＡＭ１２において生成したサムネイル画像ファイルＳＮＦをＳＤＲＡＭインターフェース２０及びＳＤＲＡＭ２４を順次介してメディアドライブ部１５に送出する。そしてメディアドライブ部１５は、ＣＰＵ１０の制御のもとに、供給されるサムネイル画像ファイルＳＮＦに対して上述と同様の処理を施し、得られたサムネイル画像ファイルＳＮＦの変調データＤ３をディスク３に送出する。これにより変調データＤ３がディスク３上のＣＰＵ１０に指定されたアドレス位置に記録される。さらにサムネイル画像の登録情報も同様に所定の位置に記録される。
【００９６】
さらにＣＰＵ１０は、ディスク３上にサムネイル画像ファイルＳＮＦが記録されている場合には、メディアドライブ部１５を制御することにより、ディスク３から読み出したサムネイル画像ファイルＳＮＦの変調データＤ３に対して上述と同様の処理を施し、得られたサムネイル画像ファイルＳＮＦをＳＤＲＡＭ２４及びＳＤＲＡＭインターフェース２０を順次介してＲＡＭ１２に取り込んで展開する。
【００９７】
その後ＣＰＵ１０は、上述のように画像ファイルＰＦを生成すると共に、ＲＡＭ１２に供給される主画像データＰＤに基づいて生成されたサムネイル画像データＳＮＰをサムネイル画像ファイルＳＮＦに格納する。この場合実際の動作としては、既にサムネイル画像ファイルＳＮＦに格納されて登録されているサムネイル画像に追加し、さらに新たなサムネイル画像が追加登録されるようにサムネイル画像の登録情報が更新されるように制御する。
【００９８】
そしてＣＰＵ１０は、操作部４が操作されて画像記録命令を停止する停止命令等の操作信号Ｓ１が入力されると、上述と同様の処理を施すことによって、得られたサムネイル画像ファイルＳＮＦの変調データＤ３をディスク３に送出する。これにより変調データＤ３がディスク３上に記録される。このとき更新されたサムネイル画像ファイルがディスク３上に記録されているサムネイル画像ファイルＳＮＦと同一のアドレス位置に上書き記録される。また、ディスク３上に記録されているサムネイル画像ファイルと同一アドレス位置に記録することが不可能であると判断される場合には、ファイルを分割して離散的に記録することも可能である。更には、全く異なる記録可能領域で再生時に再生ヘッドのシークが発生しない連続して再生可能な領域に記録することも可能である。
【００９９】
さらにＣＰＵ１０は、操作部４が操作されて画像再生命令等の操作信号Ｓ１が入力されると、これに応動してメディアドライブ部１５を制御することにより、ディスク３から読み出したサムネイル画像ファイルＳＮＦの変調データＤ３を上述と同様の処理を施し、得られたサムネイル画像ファイルＳＮＦをＳＤＲＡＭ２４に送出する。
【０１００】
さらにＣＰＵ１０は、その後ＳＤＲＡＭ２４において供給されるサムネイル画像ファイルＳＮＦをバッファリングし、その後所定のタイミングで当該サムネイル画像ファイルＳＮＦ内のサムネイル画像データＳＮＰを順次読み出して、ＳＤＲＡＭインターフェース２０及びシリアルインターフェース２２を順次介してカメラ／表示ブロック８に送出する。
【０１０１】
そしてＣＰＵ１０は、カメラ／表示ブロック８の信号処理部において例えばＪＰＥＧ等の所定の画像伸張方式に準拠した画像伸張処理やディジタル／アナログ変換処理等を施し、かくして得られたサムネイル画像データＳＮＰをカメラ／表示ブロック８の表示部８Ａに送出する。これにより、図５に示すように、サムネイル画像データＳＮＰを選択するための再生画像選択画面２９がカメラ／表示ブロック８の表示部８Ａに表示され、例えばサムネイル画像ＳＮＰ１〜ＳＮＰ４が再生画像選択画面２９内に一覧表示される。
【０１０２】
（３）本実施の形態によるサムネイル画像ファイルＳＮＦの記録再生制御
（３−１）サムネイル画像ファイルＳＮＦのファイル構造
まず、この記録再生装置１におけるサムネイル画像ファイルＳＮＦのファイル構造について説明する。
【０１０３】
このサムネイル画像ファイルＳＮＦのファイル構造においては、図６(Ａ)に示すように、各サムネイル画像が格納される個別領域３０１，３０２，……，３３ｎが設けられる。さらに図６（Ｂ）に示すように各個別領域にはサムネイル画像データの実体が格納されるサムネイル画像データ領域と個別領域の属性を示すヘッダ領域とが備えられている。ヘッダ領域にはサムネイル画像データ領域にサムネイル画像データが格納されているか否かを示すデータ格納フラグが備えられている。また、この実施の形態では個別領域のデータサイズは固定とされており、所定の個別領域のデータへのアクセスはサムネイル画像ファイルの先頭位置から所定ファイルサイズに所定のファイル数を乗じた値の位置から読出すことで容易に可能とされている。なお、個別領域のヘッダ領域に当該個別領域のデータサイズを格納しておくことでサムネイル画像データの容量を可変とすることも可能である。さらには、個別領域内にヘッダを各々持つことなく、サムネイル画像ファイル全体を管理する管理情報をさらに備え、管理情報によって個別領域内にサムネイル画像が格納されているか否かを判別可能にするようにしても良い。管理情報を別途備える場合においても、サムネイル画像のデータサイズを固定とするか可変とするかは随時選択可能であることはもちろんである。
【０１０４】
当該サムネイル画像ファイルＳＮＦの先頭に最初に再生画像選択画面２９内に一覧表示されるサムネイル画像データＳＮＰを格納するための再生時画面表示用領域３０（３０１〜３０４）が設けられており、最初に再生画像選択画面２９内に一覧表示されるサムネイル画像データＳＮＰをこの再生時画面表示用領域３０に格納して記憶することができるようになされている。
【０１０５】
また、再生時画面表示用領域３０の後には、最初に再生画像選択画面２９内に一覧表示されるサムネイル画像データＳＮＰの一画面分前に一覧表示されるサムネイル画像データＳＮＰを格納するための再生時前画面表示用領域３１（３１１〜３１４）が設けられており、最初に再生画像選択画面２９内に一覧表示されるサムネイル画像データＳＮＰの一画面分前に一覧表示されるサムネイル画像データＳＮＰをこの再生時前画面表示用領域３１に格納して記憶することができるようになされている。
【０１０６】
さらに、再生時前画面表示用領域３１の後には、最初に再生画像選択画面２９内に一覧表示されるサムネイル画像データＳＮＰの一画面分後に一覧表示されるサムネイル画像データＳＮＰを格納するための再生時次画面表示用領域３２（３２１〜３２４）が設けられており、最初に再生画像選択画面２９内に一覧表示されるサムネイル画像データＳＮＰの一画面分後に一覧表示されるサムネイル画像データＳＮＰをこの再生時次画面表示用領域３２に格納して記憶することができるようになされている。
【０１０７】
さらに、再生時次画面表示用領域３２の後には、サムネイル画像データＳＮＰを画像ファイルＰＦが生成された順に配列して格納するための通常表示用領域３３（３３１〜３３ｎ）が設けられており、サムネイル画像データＳＮＰを画像ファイルＰＦが生成された順に配列してこの通常表示用領域３３に格納して記憶することができるようになされている。
【０１０８】
（３−２）サムネイル画像ファイルＳＮＦの記録制御及び再生制御
次に、この記録再生装置１におけるカメラモード時のサムネイル画像ファイルＳＮＦの記録制御及び再生制御について説明する。
【０１０９】
この記録再生装置１では、記録時に、サムネイル画像ファイルＳＮＦ内のサムネイル画像データＳＮＰを画像ファイルＰＦが生成された順に配列して記憶すると共に、所定画像数の新たに生成されたサムネイル画像データＳＮＰを当該サムネイル画像ファイルＳＮＦの先頭に２重に記憶して、その後サムネイル画像ファイルＳＮＦをディスク３に記録することによって、再生時に、サムネイル画像ファイルＳＮＦをすべて読み出す前にサムネイル画像ＳＮＰを表示部８Ａに表示することができるようになされている。
【０１１０】
実際上ＣＰＵ１０は、ディスク３にサムネイル画像ファイルＳＮＦが記録されていない初期状態時に、操作部４が操作されて画像記録命令等の操作信号Ｓ１が入力され、撮像命令等の操作信号Ｓ１が入力されると、これに応動してカメラ／表示ブロック８を制御することにより、上述のカメラモードと同様の処理を実行させ、かくして得られた主画像データＰＤをシリアルインターフェース２２を介してＲＡＭ１２に取り込んで展開し、当該主画像データＰＤに基づいて画像ファイルＰＦを生成する。またＣＰＵ１０は、ＲＡＭ１２上にサムネイル画像ファイルＳＮＦを生成し、ＲＡＭ１２上に展開された主画像データＰＤに基づいて生成されたサムネイル画像データＳＮＰをサムネイル画像ファイルＳＮＦに順次格納する。
【０１１１】
このときＣＰＵ１０は、図７（Ａ）に示すように、撮像された主画像に基づく主画像データＰＤが１画像目に撮像された主画像データＰＤ１のときには、主画像データＰＤ１に基づくサムネイル画像データＳＮＰ１をサムネイル画像ファイルＳＮＦ内の再生時画面表示用領域３０１及び通常表示用領域３３１に格納する。このとき図６（Ｂ）に示した個別領域のヘッダ領域内のデータ格納フラグをサムネイル画像格納済みに変更する。以下同様にサムネイル画像データＳＮＰがサムネイル画像データ領域に格納された個別領域のヘッダ領域内のデータ格納フラグをサムネイル画像格納済みに変更して行く。
【０１１２】
またＣＰＵ１０は、図７（Ｂ）に示すように、撮像された主画像に基づく主画像データＰＤが２画像目に撮像された主画像データＰＤ２のときには、主画像データＰＤ２に基づくサムネイル画像データＳＮＰ２をサムネイル画像ファイルＳＮＦ内の再生時画面表示用領域３０２及び通常表示用領域３３２に格納する。
【０１１３】
さらにＣＰＵ１０は、図７（Ｃ）に示すように、撮像された主画像に基づく主画像データＰＤが３画像目に撮像された主画像データＰＤ３のときには、主画像データＰＤ３に基づくサムネイル画像データＳＮＰ３をサムネイル画像ファイルＳＮＦ内の再生時画面表示用領域３０３及び通常表示用領域３３３に格納する。
【０１１４】
さらにＣＰＵ１０は、図７（Ｄ）に示すように、撮像された主画像に基づく主画像データＰＤが４画像目に撮像された主画像データＰＤ４のときには、主画像データＰＤ４に基づくサムネイル画像データＳＮＰ１〜ＳＮＰ４をサムネイル画像ファイルＳＮＦ内の再生時画面表示用領域３０４及び通常表示用領域３３４に格納する。
【０１１５】
さらにＣＰＵ１０は、図７（Ｅ）に示すように、撮像された主画像に基づく主画像データＰＤが５画像目に撮像された主画像データＰＤ５のときには、再生時画面表示用領域３０のサムネイル画像データＳＮＰ１〜ＳＮＰ４を再生時前画面表示用領域３１にコピーする。その後ＣＰＵ１０は、再生時画面表示用領域３０のサムネイル画像データＳＮＰ１〜ＳＮＰ４を再生時次画面表示用領域３２にコピーし、さらにその後再生時画面表示用領域３０に格納されたサムネイル画像データＳＮＰ１〜ＳＮＰ４を消去した後、主画像データＰＤ５に基づくサムネイル画像データＳＮＰ５をサムネイル画像ファイルＳＮＦ内の再生時画面表示用領域３０１及び通常表示用領域３３５に格納する。この場合サムネイル画像データの消去は、個別領域内のサムネイル画像を消去せずに個別領域内のヘッダ領域に備えられたデータ格納フラグをデータ未格納の状態に書き換えるだけで行われる。なお、実際にサムネイル画像を消去しても構わない。
【０１１６】
このようにしてＣＰＵ１０は、サムネイル画像ファイルＳＮＦの再生時画面表示用領域３０がすべて格納されたときには、再生時画面表示用領域３０のサムネイル画像データＳＮＰを再生時前画面表示用領域３１にコピーする。また、サムネイル画像ファイルＳＮＦの再生時画面表示用領域３０がすべて格納されたときに、再生時次画面表示用領域３２にサムネイル画像データＳＮＰが格納されていないときには、再生時画面表示用領域３０のサムネイル画像データＳＮＰを再生時次画面表示用領域３２にコピーする。
【０１１７】
さらにＣＰＵ１０は、図７（Ｆ）、図７（Ｇ）、図７（Ｈ）に示すように、撮像された主画像に基づく主画像データＰＤが６〜８画像目に撮像された主画像データＰＤ６〜ＰＤ８のときには、主画像データＰＤ６〜ＰＤ８に基づくサムネイル画像データＳＮＰ６〜ＳＮＰ８をサムネイル画像ファイルＳＮＦ内の対応する再生時画面表示用領域３０２〜３０４及び通常表示用領域３３６〜３３８に格納する。
【０１１８】
さらにＣＰＵ１０は、図７（Ｉ）に示すように、撮像された主画像に基づく主画像データＰＤが９画像目に撮像された主画像データＰＤ９のときには、再生時画面表示用領域３０のサムネイル画像データＳＮＰ５〜ＳＮＰ８を再生時前画面表示用領域３１にコピーし、その後再生時画面表示用領域３０に格納されたサムネイル画像データＳＮＰ５〜ＳＮＰ８を消去した後、主画像データＰＤ９に基づくサムネイル画像データＳＮＰ９をサムネイル画像ファイルＳＮＦ内の再生時画面表示用領域３０１及び通常表示用領域３３９に格納する。
【０１１９】
さらにＣＰＵ１０は、図７（Ｊ）、図７（Ｋ）、図７（Ｌ）に示すように、撮像された主画像に基づく主画像データＰＤが１０〜１２画像目に撮像された主画像データＰＤ１０〜ＰＤ１２のときには、主画像データＰＤ１０〜ＰＤ１２に基づくサムネイル画像データＳＮＰ１０〜ＳＮＰ１２をサムネイル画像ファイルＳＮＦ内の対応する再生時画面表示用領域３０２〜３０４及び通常表示用領域３３１０〜３３１２に格納する。
【０１２０】
さらにＣＰＵ１０は、図７（Ｍ）に示すように、撮像された主画像に基づく主画像データＰＤが１３画像目に撮像された主画像データＰＤ１３のときには、再生時画面表示用領域３０のサムネイル画像データＳＮＰ１０〜ＳＮＰ１２を再生時前画面表示用領域３１にコピーし、その後再生時画面表示用領域３０に格納されたサムネイル画像データＳＮＰ１０〜ＳＮＰ１２を消去した後、主画像データＰＤ１３に基づくサムネイル画像データＳＮＰ１３をサムネイル画像ファイルＳＮＦ内の再生時画面表示用領域３０１及び通常表示用領域３３１３に格納する。
【０１２１】
さらにＣＰＵ１０は、図７（Ｎ）、図７（Ｏ）、図７（Ｐ）に示すように、撮像された主画像に基づく主画像データＰＤが１４〜１６画像目に撮像された主画像データＰＤ１４〜ＰＤ１６のときには、主画像データＰＤ１４〜ＰＤ１６に基づくサムネイル画像データＳＮＰ１４〜ＳＮＰ１６をサムネイル画像ファイルＳＮＦ内の対応する再生時画面表示用領域３０２〜３０４及び通常表示用領域３３１４〜３３１６に格納する。
【０１２２】
このようにしてＣＰＵ１０は、操作部４が操作されて撮像命令等の操作信号Ｓ１が入力されるたびに、主画像データＰＤに基づいて生成されたサムネイル画像データＳＮＰをサムネイル画像ファイルＳＮＦの再生時画面表示用領域３０及び通常表示用領域３３に順次格納することができるようになされている。
【０１２３】
そしてＣＰＵ１０は、操作部４が操作されて画像記録命令を停止する停止命令等の操作信号Ｓ１が入力されると、上述と同様の処理を施すことによって、得られたサムネイル画像ファイルＳＮＦの変調データＤ３をディスク３に送出する。これにより変調データＤ３がディスク３上のＣＰＵ１０に指定されたアドレス位置に記録される。
【０１２４】
一方、実際上ＣＰＵ１０は、上述のように１６画像目まで撮像され、そのサムネイル画像データＳＮＰ１〜ＳＮＰ１６を格納したサムネイル画像ファイルＳＮＦがディスク３に記録されている状態時に、操作部４が操作されて画像再生命令等の操作信号Ｓ１が入力されると、これに応動してメディアドライブ部１５を制御することにより、ディスク３からサムネイル画像ファイルＳＦの変調データＤ３を再生時画面表示用領域３０、再生時前画面表示用領域３１、再生時次画面表示用領域３２、通常表示用領域３３の順に上述と同様の処理を施し、得られたサムネイル画像ファイルＳＮＦを上述と同様の順にＳＤＲＡＭ２４に送出する。
【０１２５】
これによりＣＰＵ１０は、供給されるサムネイル画像ファイルＳＮＦの再生時画面表示用領域３０のサムネイル画像データＳＮＰ１６のバッファリングが完了したタイミングで当該サムネイル画像データＳＮＰ１３〜ＳＮＰ１６をＳＤＲＡＭ２４から順次読み出すことができる。
【０１２６】
そしてＣＰＵ１０は、ＳＤＲＡＭインターフェース２０及びシリアルインターフェース２２を順次介して供給されるサムネイル画像データＳＮＰ１３に対して、カメラ／表示ブロック８を制御することにより上述と同様の処理を施し、得られたサムネイル画像ＳＮＰ１３〜ＳＮＰ１６をカメラ／表示ブロック８の表示部８Ａに送出する。これにより、図８（Ａ）に示すように、サムネイル画像ＳＮＰを選択するための再生画像選択画面２９がカメラ／表示ブロック８の表示部８Ａに表示され、サムネイル画像ＳＮＰ１３〜ＳＮＰ１６が再生画像選択画面２９内に一覧表示される。
【０１２７】
また、これによりＣＰＵ１０は、操作部４が操作されて前画面表示命令等の操作信号Ｓ１が入力されたときにも、供給されるサムネイル画像ファイルＳＮＦの再生時前画面表示用領域３１のサムネイル画像データＳＮＰ１２のバッファリングが完了したタイミングで当該サムネイル画像データＳＮＰ９〜ＳＮＰ１２をＳＤＲＡＭ２４から順次読み出すことができる。
【０１２８】
そしてＣＰＵ１０は、その後上述と同様の処理を施すことによって、図８（Ｂ）に示すように、サムネイル画像ＳＮＰを選択するための再生画像選択画面２９がカメラ／表示ブロック８の表示部８Ａに表示され、サムネイル画像ＳＮＰ９〜ＳＮＰ１２が再生画像選択画面２９内に一覧表示される。
【０１２９】
さらに、これによりＣＰＵ１０は、操作部４が操作されて次画面表示命令等の操作信号Ｓ１が入力されたときにも、供給されるサムネイル画像ファイルＳＮＦの再生時次画面表示用領域３２のサムネイル画像データＳＮＰ４のバッファリングが完了したタイミングで当該サムネイル画像データＳＮＰ１〜ＳＮＰ４をＳＤＲＡＭ２４から順次読み出すことができる。
【０１３０】
そしてＣＰＵ１０は、その後上述と同様の処理を施すことによって、図８（Ｃ）に示すように、サムネイル画像ＳＮＰを選択するための再生画像選択画面２９がカメラ／表示ブロック８の表示部８Ａに表示され、サムネイル画像ＳＮＰ１〜ＳＮＰ４が再生画像選択画面２９内に一覧表示される。
【０１３１】
なお、ＣＰＵ１０は、例えば操作部４が操作されて前々画面表示命令等の操作信号Ｓ１が入力されたときには、供給されるサムネイル画像ファイルＳＮＦの通常表示用領域３３のサムネイル画像データＳＮＰ８のバッファリングが完了したタイミングで当該サムネイル画像データＳＮＰ５〜ＳＮＰ８をＳＤＲＡＭ２４から順次読み出すことができる。
【０１３２】
そしてＣＰＵ１０は、その後上述と同様の処理を施すことによって、図８（Ｄ）に示すように、サムネイル画像ＳＮＰを選択するための再生画像選択画面２９がカメラ／表示ブロック８の表示部８Ａに表示され、サムネイル画像ＳＮＰ５〜ＳＮＰ８が再生画像選択画面２９内に一覧表示される。
【０１３３】
このようにしてＣＰＵ１０は、操作部４が操作されて画像再生命令等の操作信号Ｓ１が入力されたときに、最初に再生画像選択画面２９内に一覧表示されるサムネイル画像データＳＮＰを格納した再生時画面表示用領域３０が先頭に設けられたサムネイル画像ファイルＳＮＦをディスク３から読み出して、サムネイル画像データＳＮＰに基づくサムネイル画像ＳＮＰを表示部８Ａに表示することができるようになされている。
【０１３４】
（３−３）記録制御処理手順及び再生制御処理手順
ここで、上述のようなＣＰＵ１０による記録制御処理は、ＲＯＭ１１内に記憶保持された制御プログラムに基づき、図９及び図１０に示す記録制御処理手順ＲＴ１に従って行われる。
【０１３５】
すなわちＣＰＵ１０は、例えば操作部４が操作されて画像記録命令等の操作信号Ｓ１が入力されると、この記録制御処理手順ＲＴ１をステップＳＰ０において開始し、続くステップＳＰ１においてサムネイル画像ファイルＳＮＦがディスク３に記録されているか否かを判断する。そしてＣＰＵ１０は、このステップＳＰ１において肯定結果を得るとステップＳＰ２に進んで、ディスク３からサムネイル画像ファイルＳＮＦを読み出してＲＡＭ１２に取り込んで展開し、これに対して否定結果を得るとステップＳＰ３に進んで、サムネイル画像ファイルＳＮＦを生成して、ＲＡＭ１２に取り込んで展開する。
【０１３６】
続いてＣＰＵ１０は、この後ステップＳＰ４に進んで、操作部４が操作されて撮像命令等の操作信号Ｓ１が入力されたか否かを判断する。そしてＣＰＵ１０は、このステップＳＰ４において操作部４が操作されて撮像命令等の操作信号Ｓ１が入力されるのを待ち受け、やがて操作部４が操作されることにより肯定結果が得られると、ステップＳＰ５に進んで、主画像データＰＤに基づいてサムネイル画像データＳＮＰを生成する。
【０１３７】
続いてＣＰＵ１０は、この後ステップＳＰ６に進んで、サムネイル画像ファイルＳＮＦの再生時画面表示用領域３０のすべての領域にサムネイル画像データＳＮＰが格納されているか否かを判断する。そしてＣＰＵ１０は、このステップＳＰ６において否定結果を得るとステップＳＰ１１に進み、これに対して肯定結果を得るとステップＳＰ７に進んで、再生時画面表示用領域３０のサムネイル画像データＳＮＰを再生時前画面表示用領域３１にコピーする。
【０１３８】
続いてＣＰＵ１０は、この後ステップＳＰ８に進んで、サムネイル画像ファイルＳＮＦの再生時次画面表示用領域３２にサムネイル画像データＳＮＰが格納されているか否かを判断する。そしてＣＰＵ１０は、このステップＳＰ８において肯定結果を得るとステップＳＰ１０に進み、これに対して否定結果を得るとステップＳＰ９に進んで、再生時画面表示用領域３０のサムネイル画像データＳＮＰを再生時次画面表示用領域３２にコピーする。
【０１３９】
続いてＣＰＵ１０は、この後ステップＳＰ１０に進んで、サムネイル画像ファイルＳＮＦの再生時画面表示用領域３０に格納されたサムネイル画像データＳＮＰを消去する。
【０１４０】
やがてＣＰＵ１０は、この後ステップＳＰ１１に進んで、サムネイル画像ファイルＳＮＦの再生時画面表示用領域３０及び通常表示用領域３３にステップＳＰ５において生成されたサムネイル画像データＳＮＰを格納する。
【０１４１】
続いてＣＰＵ１０は、この後ステップＳＰ１２に進んで、操作部４からの操作信号Ｓ１に基づいて、ユーザが画像記録操作を停止すべき操作（以下、これを停止操作と呼ぶ）を行ったか又はこの記録再生装置１の電源が切断されたか否かを判断し、否定結果を得るとステップＳＰ４に戻り、この後ステップＳＰ４〜ステップＳＰ１２について同様の処理を繰り返す。そしてＣＰＵ１０は、やがてユーザが停止操作を行うことによりステップＳＰ１２において肯定結果を得ると、ステップＳＰ１３に進んで、サムネイル画像ファイルＳＮＦをディスク３に記録した後、続いてステップＳＰ１４に進んで、この記録制御処理手順ＲＴ１を終了する。
【０１４２】
一方、上述のようなＣＰＵ１０による再生制御処理は、ＲＯＭ１１内に格納された制御プログラムに基づき、図１１及び図１２に示す再生制御処理手順ＲＴ２に従って行われる。
【０１４３】
すなわちＣＰＵ１０は、例えば操作部４が操作されて画像再生命令等の操作信号Ｓ１が入力されると、この再生制御処理手順ＲＴ２をステップＳＰ１５において開始し、続くステップＳＰ１６において、ディスク３からサムネイル画像ファイルＳＮＦをＳＤＲＡＭ２４に読み出す。
【０１４４】
続いてＣＰＵ１０は、この後ステップＳＰ１７に進んで、サムネイル画像ファイルＳＮＦの再生時画面表示用領域３０のＳＤＲＡＭ２４への読出しが完了したか否かを判断する。そしてＣＰＵ１０は、このステップＳＰ１７においてサムネイル画像ファイルＳＮＦの再生時画面表示用領域３０のＳＤＲＡＭ２４への読出しが完了するのを待ち受け、やがてＳＤＲＡＭ２４への読出しが完了することにより肯定結果が得られると、ステップＳＰ１８に進んで、再生時画像表示用領域３０に格納されたサムネイル画像データＳＮＰに基づくサムネイル画像ＳＮＰを表示部８Ａに表示させる。
【０１４５】
続いてＣＰＵ１０は、この後ステップＳＰ１９に進んで、例えば操作部４が操作されて前画面表示命令等の操作信号Ｓ１が入力されたか否かを判断する。そしてＣＰＵ１０は、このステップＳＰ１９において否定結果を得るとステップＳＰ２０に進んで、例えば操作部４が操作されて次画面表示命令等の操作信号Ｓ１が入力されたか否かを判断する。そしてＣＰＵ１０は、このステップＳＰ２０において否定結果を得るとステップＳＰ１９に戻り、この後ステップＳＰ１９〜ステップＳＰ２０について同様の処理を繰り返す。
【０１４６】
これに対してＣＰＵ１０は、ステップＳＰ１９において肯定結果を得るとステップＳＰ２１に進んで、サムネイル画像ファイルＳＮＦの再生時前画面表示用領域３１のＳＤＲＡＭ２４への読出しが完了したか否かを判断する。そしてＣＰＵ１０は、このステップＳＰ２１においてサムネイル画像ファイルＳＮＦの再生時前画面表示用領域３１のＳＤＲＡＭ２４への読出しが完了するのを待ち受け、やがてＳＤＲＡＭ２４への読出しが完了することにより肯定結果が得られると、ステップＳＰ２２に進んで、再生時前画像表示用領域３１に格納されたサムネイル画像データＳＮＰに基づくサムネイル画像ＳＮＰを表示部８Ａに表示させる。
【０１４７】
また、これに対してＣＰＵ１０は、ステップＳＰ２０において肯定結果を得るとステップＳＰ２３に進んで、サムネイル画像ファイルＳＮＦの再生時次画面表示用領域３２のＳＤＲＡＭ２４への読出しが完了したか否かを判断する。そしてＣＰＵ１０は、このステップＳＰ２３においてサムネイル画像ファイルＳＮＦの再生時次画面表示用領域３２のＳＤＲＡＭ２４への読出しが完了するのを待ち受け、やがてＳＤＲＡＭ２４への読出しが完了することにより肯定結果が得られると、ステップＳＰ２４に進んで、再生時次画像表示用領域３２に格納されたサムネイル画像データＳＮＰに基づくサムネイル画像ＳＮＰを表示部８Ａに表示させる。
【０１４８】
続いてＣＰＵ１０は、この後ステップＳＰ２５に進んで、例えば操作部４が操作されて前々画面以前又は次々画面以後の表示命令等の操作信号Ｓ１が入力されたか否かを判断する。そしてＣＰＵ１０は、このステップＳＰ２５において否定結果を得るとステップＳＰ２８に進み、これに対して肯定結果を得るとステップＳＰ２６に進んで、サムネイル画像ファイルＳＮＦの通常表示用領域３３のＳＤＲＡＭ２４への読出しが完了したか否かを判断する。そしてＣＰＵ１０は、このステップＳＰ２６においてサムネイル画像ファイルＳＮＦの通常表示用領域３３のＳＤＲＡＭ２４への読出しが完了するのを待ち受け、やがてＳＤＲＡＭ２４への読出しが完了することにより肯定結果が得られると、ステップＳＰ２７に進んで、通常表示用領域３３に格納された対応するサムネイル画像データＳＮＰに基づくサムネイル画像ＳＮＰを表示部８Ａに表示させる。
【０１４９】
続いてＣＰＵ１０は、この後ステップＳＰ２８に進んで、操作部４からの操作信号Ｓ１に基づいて、ユーザが画像再生操作を停止すべき操作（以下、これを停止操作と呼ぶ）を行ったか又はこの記録再生装置１の電源が切断されたか否かを判断し、否定結果を得るとステップＳＰ２５に戻り、この後ステップＳＰ２５〜ステップＳＰ２８について同様の処理を繰り返す。そしてＣＰＵ１０は、やがてユーザが停止操作を行うことによりステップＳＰ２８において肯定結果を得ると、ステップＳＰ２９に進んでこの再生制御処理手順ＲＴ２を終了する。
【０１５０】
（４）本実施の形態による動作及び効果
以上の構成において、この記録再生装置１では、記録時に、最初に再生画像選択画面２９内に一覧表示されるサムネイル画像データＳＮＰを常にサムネイル画像ファイルＳＮＦの先頭に記憶する。
【０１５１】
また、この記録再生装置１では、再生時に、最初に再生画像選択画面２９内に一覧表示されるサムネイル画像データＳＮＰを記憶した再生時画面表示用領域３０が先頭に設けられたサムネイル画像ファイルＳＮＦをディスク３から読み出し、サムネイル画像データＳＮＰに基づくサムネイル画像ＳＮＰを表示部８Ａに表示する。
【０１５２】
従って、この記録再生装置１では、サムネイル画像ファイルＳＮＦの再生時画面表示用領域３０のサムネイル画像データＳＮＰのＳＤＲＡＭ２４へのバッファリングが完了したタイミングで当該サムネイル画像データＳＮＰに基づくサムネイル画像ＳＮＰを表示部８Ａに表示することによって、当該サムネイル画像を迅速に表示部８Ａに表示することができる。
【０１５３】
以上の構成によれば、記録時に、最初に再生画像選択画面２９内に一覧表示されるサムネイル画像データＳＮＰを常にサムネイル画像ファイルＳＮＦの先頭に記憶することにより、サムネイル画像ファイルＳＮＦの再生時画面表示用領域３０のサムネイル画像データＳＮＰのＳＤＲＡＭ２４へのバッファリングが完了したタイミングで当該サムネイル画像データＳＮＰに基づくサムネイル画像ＳＮＰを表示部８Ａに表示することによって、当該サムネイル画像を迅速に表示部８Ａに表示することができ、かくして使い勝手を格段的に向上させ得る記録再生装置を実現することができる。
【０１５４】
また、再生時に、最初に再生画像選択画面２９内に一覧表示されるサムネイル画像データＳＮＰを記憶した再生時画面表示用領域３０が先頭に設けられたサムネイル画像ファイルＳＮＦをディスク３から読み出し、サムネイル画像データＳＮＰに基づくサムネイル画像ＳＮＰを表示部８Ａに表示することにより、サムネイル画像ファイルＳＮＦの再生時画面表示用領域３０のサムネイル画像データＳＮＰのＳＤＲＡＭ２４へのバッファリングが完了したタイミングで当該サムネイル画像データＳＮＰに基づくサムネイル画像ＳＮＰを表示部８Ａに表示することによって、当該サムネイル画像を迅速に表示部８Ａに表示することができ、かくして使い勝手を格段的に向上させ得る記録再生装置を実現することができる。
【０１５５】
（５）他の実施の形態
なお上述の実施の形態においては、本発明を現行ＭＤと、上述した第１及び第２の次世代ＭＤとに対応した記録再生装置に適用するようにした場合について述べたが、本発明はこれに限らず、例えばこれ以外の種々のディスクメディアを記録媒体とする記録再生装置に広く適用することができる。
【０１５６】
また上述の実施の形態においては、再生画像選択画面２９において、再生画像としてサムネイル画像ＳＮＰを４つ表示するようにした場合について述べたが、本発明はこれに限らず、再生画像選択画面２９に表示するかかるサムネイル画像ＳＮＰの数は４つ以外であっても良い。
【０１５７】
さらに上述の実施の形態においては、再生時画面表示用領域３０、再生時前画面表示用領域３１、再生時次画面表示用領域３２の格納領域を４つにした場合について述べたが、本発明はこれに限らず、格納領域は４つ以外であっても良い。
【０１５８】
さらに上述の実施の形態においては、サムネイル画像ファイルＳＮＦの再生時画面表示用領域３０がすべて記憶されたときには、再生時画面表示用領域３０のサムネイル画像データＳＮＰを再生時前画面表示用領域３１にコピーした場合について述べたが、本発明はこれに限らず、例えば再生時画面表示用領域３０の３０１、３０２及び３０３を３０２、３０３及び３０４のようにコピーして、サムネイル画像データＳＮＰをシフトさせるように記憶制御するようにしても良く、この他種々の形態にサムネイル画像データを記憶することができる。
【０１５９】
さらに上述の実施の形態においては、サムネイル画像ファイルＳＮＦの再生時画面表示用領域３０のサムネイル画像データＳＮＰのＳＤＲＡＭ２４へのバッファリングが完了したタイミングで当該サムネイル画像データＳＮＰに基づくサムネイル画像ＳＮＰを表示部８Ａに表示した場合について述べたが、本発明はこれに限らず、例えばサムネイル画像ファイルＳＮＦの再生時画面表示用領域３０のサムネイル画像データＳＮＰを読み出してＳＤＲＡＭにバッファリングしないでサムネイル画像データＳＮＰに基づくサムネイル画像ＳＮＰを表示部８Ａに表示するようにしても良く、この他種々のタイミングでサムネイル画像ＳＮＰを表示部８Ａに表示することができる。
【０１６０】
さらに上述の実施の形態においては、サムネイル画像ファイルＳＮＦを再生時画面表示用領域３０、再生時前画面表示用領域３１、再生時次画面表示用領域３２、通常表示用領域３３を連続させたアドレス位置に記録した場合について述べたが、本発明はこれに限らず、例えば再生時画面表示用領域３０、再生時前画面表示用領域３１及び再生時次画面表示用領域３２と、通常表示用領域３３とをそれぞれを別のアドレス位置に記録するようにしても良い。
【０１６１】
さらに上述の実施の形態においては、サムネイル画像ファイルＳＮＦを再生時画面表示用領域３０、再生時前画面表示用領域３１、再生時次画面表示用領域３２、通常表示用領域３３を連続させたアドレス位置に記録した場合について述べたが、本発明はこれに限らず、例えば再生時画面表示用領域３０及び再生時前画面表示用領域３１のみを連続させたアドレス位置に記録するようにしても良く、要は再生時画面表示用領域３０が所定のアドレス位置に記録されていれば良い。
【０１６２】
さらに上述の実施の形態においては、サムネイル画像ファイルＳＮＦを生成した場合について述べたが、本発明はこれに限らず、最初に一覧表示されるサムネイル画像の画像データを所定位置にまとめて記録するようにすれば良い。
【０１６３】
さらに上述の実施の形態においては、サムネイル画像ファイルＳＮＦをＲＡＭ１２上に展開し、サムネイル画像データＳＮＰを格納した場合について述べたが、本発明はこれに限らず、例えば半導体メモリ等のこの他種々のディスクメディアに比してデータの読書き速度が速い記憶手段に適用することができる。
【０１６４】
さらに上述の実施の形態においては、新たに撮像された主画像データＰＤに基づくサムネイル画像ＳＮＰを最初に一覧表示した場合について述べたが、本発明はこれに限らず、例えば、データ量の大きい画像の画像データに基づくサムネイル画像ＳＮＰを最初に一覧表示するようにしても良く、また、お気に入りの画像を選択して、当該画像の画像データに基づくサムネイル画像ＳＮＰを最初に一覧表示するようにしても良く、この他種々の設定やユーザの所望するサムネイル画像を最初に一覧表示することができる。
【０１６５】
さらに上述の実施の形態においては、サムネイル画像ファイルＳＮＦをＲＡＭ１２上に展開し、サムネイル画像データＳＮＰを格納し、その後ディスク３に記録した場合について述べたが、本発明はこれに限らず、サムネイル画像ファイルＳＮＦをＲＡＭ１２上に展開せずに、サムネイル画像データＳＮＰをそのままディスク３のサムネイル画像ファイルＳＮＦに格納して記録するようにしても良く、要は、最初に一覧表示される所定のサムネイル画像の画像データを所定領域にまとめて記録すれば良い。
【０１６６】
さらに上述の実施の形態においては、静止画の画像に基づいて生成されるＥｘｉｆ形式の画像ファイルを記録した場合について述べたが、本発明はこれに限らず、この他種々の主画像データと付属情報を記録するためのファイルフォーマットに適用するようにしても良い。
【０１６７】
さらに、上述の実施例においては、新たに撮像された主画像データＰＤに基づいてサムネイル画像ＳＮＰを生成してサムネイル画像ファイルＳＮＦに格納していくようにしているが、すでにディスクメディアに記録された主画像データＰＤとその主画像データに基づいて既に生成されているサムネイル画像ＳＮＰからサムネイル画像を取り出してサムネイル画像ファイルＳＮＦに追加して格納するようにしても良い。この場合、Ｅｘｉｆ形式で記録された主画像データＰＤに付随して記録されたサムネイル画像データＳＮＰを取り出して取得してサムネイル画像ファイルＳＮＦに格納していくようにすれば良い。
【産業上の利用可能性】
【０１６８】
本発明はディスクメディアに画像データを記録し再生する場合に利用できる。
【図面の簡単な説明】
【０１６９】
【図１】本実施の形態による記録再生装置の構成を示す略線図である。
【図２】第１の次世代ＭＤのディスクの構成及びデータフォーマットを示す平面図及び概念図である。
【図３】第２の次世代ＭＤのディスクの構成及びデータフォーマットを示す平面図及び概念図である。
【図４】画像ファイルの構成を示す概念図である。
【図５】再生画像選択画面の構成を示す概念図である。
【図６】サムネイル画像ファイルのファイル構造の説明に供する概念図である。
【図７】サムネイル画像データの記憶制御の説明に供する概念図である。
【図８】再生画像選択画面の遷移の説明に供する概念図である。
【図９】記録制御処理手順の説明に供するフローチャートである。
【図１０】記録制御処理手順の説明に供するフローチャートである。
【図１１】再生制御処理手順の説明に供するフローチャートである。
【図１２】再生制御処理手順の説明に供するフローチャートである。
【符号の説明】
【０１７０】
１……記録再生装置、２……パーソナルコンピュータ、３……ディスク、４……操作部、５……オーディオ機器、６……マイクロホン、７……ヘッドホン、８……カメラ／表示ブロック、８Ａ……表示ブロック、９……本体ブロック、１０……ＣＰＵ、１４……第１の暗号化／復号化部、１５……メディアドライブ部、１６……ＵＳＢインターフェース、１７……内部インターフェース、１９……Ｉ／Ｏインターフェース、２０……ＳＢＲＡＮインターフェース、２１……コマンドインターフェース、２２……シリアルインターフェース、２３……ＡＴＲＡＣ圧縮／伸長部、２４……ＳＤＲＡＭ、２５……アナログ／ディジタルコンバータ、２６……第２の暗号化／復号化部、２７……ディジタル／アナログコンバータ、２８……ヘッドホンアンプ、３０……再生時画面表示用領域、３１……再生時前画面表示用領域、３２……再生時次画面表示領域、３３……通常表示用領域。
【図１】
2006114199.tif 000003
【図２】
2006114199.tif 000004
【図３】
2006114199.tif 000005
【図４】
2006114199.tif 000006
【図５】
2006114199.tif 000007
【図６】
2006114199.tif 000008
【図７】
2006114199.tif 000009
【図８】
2006114199.tif 000010
【図９】
2006114199.tif 000011
【図１０】
2006114199.tif 000012
【図１１】
2006114199.tif 000013
【図１２】
2006114199.tif 000014